(57)【要約】【課題】  精密且つ簡単な伝動設計で組み立てが簡単で、製造コストを削減することができると共に、生産効率を向上させ、産業上容易に利用することができるマッサージ器の方向転換コントローラーを提供することを目的とする。【解決手段】  本発明はマッサージ器の方向転換コントローラーの構造を提供するもので、第一ギヤの上方に設置された従動座は中央に１つの単方向回転機能を有する単方向ベアリングを有し、第一ギヤが時計回りに回転するとき、直接的にチェーンがギヤと噛み合ってマッサージアセンブリを回転させ、第一ギヤが逆時計回りに回転するとき、直接的にチェーンがギヤと噛み合ってマッサージアセンブリを回転させ、単方向ベアリングは反対に作動せず、従動座、双方向ネジロッドを回転させることなく、マッサージアセンブリのみが固定された位置で、マッサージの動作を行なうことを特徴とする。【選択図】  図２
2005111171.tif 000002
【特許請求の範囲】
【請求項１】
１つの座体を有し、上記座体上に１組のマッサージ装置が上記座体側面に沿って、滑動可能に設置され、上記マッサージ装置は回転式或は按摩式動作を行い、
上記座体は、一端に１つの第一ギヤの中心孔を設置できる１つの凸軸を有し、
上記第一ギヤは、モーターにより駆動する１つのウォームギヤと噛み合い、上記第一ギヤの上端に１つの主ギヤを有し、上記主ギヤと上記座体のもう一端に設置された１つの被動ギヤとを連結するように１つのチェーンが設置され、
上記チェーンは、上記座体の中段に設置されたマッサージ装置を貫通し、上記チェーンと１つのギヤが噛み合う方法で、上記マッサージ装置のマッサージアセンブリを動かす構造であり、上記凸軸に設置された上記第一ギヤの上方に１つの従動座が設置され、
上記従動座は、中心に上記凸軸と嵌合できる１つの設置孔を有し、上記従動座は１つの副ギヤを有し、上記副ギヤは、１つの伝動ギヤと噛み合うことにより、上記伝動ギヤを回転させ、１組のベベルギヤにより１つの双方向ネジロッドを伝動させ、
上記双方向ネジロッドは、上記座体の側面と平行に設置され、上記双方向ネジロッドは上記マッサージ装置の結合座を貫通し、
上記結合座は、内部に上記双方向ネジロッドのネジ山と噛み合う凸縁部を有することにより往復移動し、
上記従動座は、中央に１つの単方向回転機能を有する単方向ベアリングを有し、
上記第一ギヤが時計回りに回転するとき、直接的に上記チェーンが上記ギヤと噛み合って上記マッサージアセンブリを回転させ、
上記第一ギヤが逆時計回りに回転するとき、直接的に上記チェーンが上記ギヤと噛み合って上記マッサージアセンブリを回転させ、
上記単方向ベアリングは反対に作動せず、上記従動座、双方向ネジロッドを回転させることなく、上記マッサージアセンブリのみが固定された位置で、マッサージの動作を行なうことを特徴とするマッサージ器の方向転換コントローラー。
【請求項２】
上記凸軸は、上記座体上に設置される１つの軸心と上記軸心外周に枢軸設置される耐摩耗環とからなり、
上記耐摩耗環底段に上記第一ギヤが固定設置されることにより、上記第一ギヤと上記耐摩耗環とが同動状態となり、上記耐摩耗環の上段に上記従動座の上記単方向ベアリングが枢軸設置されることを特徴とする請求項１記載のマッサージ器の方向転換コントローラー。
【発明の詳細な説明】
【技術分野】
【０００１】
本発明はマッサージ器の方向転換コントローラーに係るものであり、特に、単純な構造でマッサージ器の方向転換を制御することができるマッサージ器の方向転換コントローラーに係るものである。
【背景技術】
【０００２】
従来、モーターによって方向転換を行う二重駆動効果を達成する方向転換装置が存在する。従来の方向転換装置の構造は、ギヤ、制限溝、クロスピン、はずみ車、止めギヤ等で構成される。このように従来の方向転換装置は複雑な構造であるため、組み立てにおいても不便であり、製造コストが高くなるという問題があり、産業利用する上で実用的でないという欠点があった。従って、従来のマッサージ器の構造は、上記問題点を解決したマッサージ器の開発が、関係業界での開発目標となっている。
【発明の開示】
【発明が解決しようとする課題】
【０００３】
上記のように、従来のマッサージ器の方向転換を行うための構造は、複雑な伝動設計であるため、多くの構成部品が必要であり、組み立てにおいても製造工程が多く複雑で不便となり、製造コストがかかってしまうという問題点があった。
【０００４】
本発明は、精密且つ簡単な伝動設計で組み立てが簡単で、製造コストを削減することができると共に、生産効率を向上させ、産業上容易に利用することができるマッサージ器の方向転換コントローラーを提供することを目的とする。
【課題を解決するための手段】
【０００５】
前記の目的を図るために、本発明は、１つの座体を有し、上記座体上に１組のマッサージ装置が上記座体側面に沿って、滑動可能に設置され、上記マッサージ装置は回転式或は按摩式動作を行い、
上記座体は、一端に１つの第一ギヤの中心孔を設置できる１つの凸軸を有し、
上記第一ギヤは、モーターにより駆動する１つのウォームギヤと噛み合い、上記第一ギヤの上端に１つの主ギヤを有し、上記主ギヤと上記座体のもう一端に設置された１つの被動ギヤとを連結するように１つのチェーンが設置され、
上記チェーンは、上記座体の中段に設置されたマッサージ装置を貫通し、上記チェーンと１つのギヤが噛み合う方法で、上記マッサージ装置のマッサージアセンブリを動かす構造であり、上記凸軸に設置された上記第一ギヤの上方に１つの従動座が設置され、
上記従動座は、中心に上記凸軸と嵌合できる１つの設置孔を有し、上記従動座は１つの副ギヤを有し、上記副ギヤは、１つの伝動ギヤと噛み合うことにより、上記伝動ギヤを回転させ、１組のベベルギヤにより１つの双方向ネジロッドを伝動させ、
上記双方向ネジロッドは、上記座体の側面と平行に設置され、上記双方向ネジロッドは上記マッサージ装置の結合座を貫通し、
上記結合座は、内部に上記双方向ネジロッドのネジ山と噛み合う凸縁部を有することにより往復移動し、
上記従動座は、中央に１つの単方向回転機能を有する単方向ベアリングを有し、
上記第一ギヤが時計回りに回転するとき、直接的に上記チェーンが上記ギヤと噛み合って上記マッサージアセンブリを回転させ、
上記第一ギヤが逆時計回りに回転するとき、直接的に上記チェーンが上記ギヤと噛み合って上記マッサージアセンブリを回転させ、
上記単方向ベアリングは反対に作動せず、上記従動座、双方向ネジロッドを回転させることなく、上記マッサージアセンブリのみが固定された位置で、マッサージの動作を行なう構成とされる。
【０００６】
このようなマッサージ器の方向転換コントローラーにおいて、第一ギヤの上方に設置された従動座は中央に１つの単方向回転機能を有する単方向ベアリングを有し、第一ギヤが時計回りに回転するとき、直接的にチェーンがギヤと噛み合ってマッサージアセンブリを回転させ、第一ギヤが逆時計回りに回転するとき、直接的にチェーンがギヤと噛み合ってマッサージアセンブリを回転させ、単方向ベアリングは反対に作動せず、従動座、双方向ネジロッドを回転させることなく、マッサージアセンブリのみが固定された位置で、マッサージの動作を行なうことにより、精密且つ簡単な伝動設計で組み立てが簡単で、製造コストを削減することができると共に、生産効率を向上させ、産業上容易に利用することができる。
【０００７】
前記の目的を図るために、本発明は、上記凸軸は、上記座体上に設置される１つの軸心と上記軸心外周に枢軸設置される耐摩耗環とからなり、上記耐摩耗環底段に上記第一ギヤが固定設置されることにより、上記第一ギヤと上記耐摩耗環とが同動状態となり、上記耐摩耗環の上段に上記従動座の上記単方向ベアリングが枢軸設置される構成とされる。
【０００８】
このようなマッサージ器の方向転換コントローラーにおいて、軸心外周に枢軸設置される耐摩耗環底段に第一ギヤが固定設置されることにより、第一ギヤと耐摩耗環とが同動状態となり、耐摩耗環の上段に従動座の単方向ベアリングが枢軸設置されることにより、精密且つ簡単な伝動設計で構成可能であると共に、方向転換の機能性を向上させることができる。
【発明の効果】
【０００９】
本発明のマッサージ器の方向転換コントローラーにおいて、単方向ベアリング上に設置された従動座によりマッサージアセンブリの方向転換を行なうことができ、精密且つ簡単な伝動設計で組み立てが簡単で、製造コストを削減することができると共に、生産効率を向上させ、産業上容易に利用することができる。
【発明を実施するための最良の形態】
【００１０】
以下に添付図面を参照して本発明のある好適な実施の形態を詳細に説明するが、それらの構成は本発明の構造の絶対的な制限にならない。図１は、本発明の一実施例に係るマッサージ器の方向転換コントローラーの分解斜視図である。図２は、本発明のマッサージ器の方向転換コントローラーを示す斜視図である。図３は、本発明のマッサージ器の方向転換コントローラーを示す断面図である。図４は、本発明のマッサージ器の方向転換コントローラーの動作状態を示す平面図である。図５は、本発明のマッサージ器の方向転換コントローラーの動作状態を示す平面図である。
【００１１】
図１、２、３は本発明であるマッサージ器の方向転換コントローラーの構造の改良の実施例で、マッサージ器は１つの座体１０を有し、座体１０上に１組のマッサージ装置２０が座体１０側面に沿って、滑動にできるように設置されている。マッサージ装置２０は、回転式或は按摩式動作を行なうことができる。座体１０は、一端に１つの第一ギヤ４０の中心孔４０１を設置できる１つの凸軸３０を有する。第一ギヤ４０は、モーター５０により駆動する１つのウォームギヤ５１と噛み合い、又、第一ギヤ４０の上端に１つの主ギヤ４１を有する。また、主ギヤ４１と座体１０のもう一端に設置された１つの被動ギヤ４２とを連結するように１つのチェーン４３が設置されている。
【００１２】
チェーン４３は、座体１０の中段に設置されたマッサージ装置２０を貫通し、且つマッサージ装置２０のマッサージアセンブリ２１を動かすことができる構造である（例えば、チェーン４３と１つのギヤ４４が噛み合う方法）。また、凸軸３０に設置された第一ギヤ４０の上方に１つの従動座６０が設置されている。従動座６０は中心に凸軸３０と嵌合できる１つの設置孔６０１を有する。従動座６０は１つの副ギヤ６１を有し、副ギヤ６１は１つの伝動ギヤ６２と噛み合うことにより、伝動ギヤ６２を回転させることができる。
【００１３】
更に、１組のベベルギヤ６３、６４により１つの双方向ネジロッド６５を伝動させることができる。双方向ネジロッド６５は、座体１０の側面と平行に設置され、双方向ネジロッド６５はマッサージ装置２０の結合座２２を貫通し、結合座２２は内部に双方向ネジロッド６５のネジ山と噛み合わせることができる凸縁部を有することにより、往復移動することができる。
【００１４】
本発明の主な特徴を以下に説明する。従動座６０は中央に１つの単方向ベアリング７０を有し（上記単方向ベアリング７０は既存の部品で、単方向回転の特徴を有する）、凸軸３０は座体１０上に設置される１つの軸心３１と軸心３１外周に枢軸設置される耐摩耗環３２とからなり、耐摩耗環３２底段に第一ギヤ４０が固定設置される。これにより、第一ギヤ４０と耐摩耗環３２は同動状態となる。更に、耐摩耗環３２の上段に従動座６０の単方向ベアリング７０が枢軸設置される。
【００１５】
上記構造により、第一ギヤ４０が時計回りに回転する時（図４）、直接的にチェーン４３がギヤ４４と噛み合い、マッサージ装置２０のマッサージアセンブリ２１を回転させ、単方向ベアリング７０により間接的に従動座６０、双方向ネジロッド６５を回転させ、マッサージ装置２０を同時に往復移動させることができる。
【００１６】
第一ギヤ４０が逆時計回りに回転する時（図５）、直接的にチェーン４３がギヤ４４と噛み合い、マッサージ装置２０のマッサージアセンブリ２１を回転させるが、単方向ベアリング７０は反対には作動しない為、従動座６０、双方向ネジロッド６５を回転させることはなく、マッサージ装置２０は移動せず、マッサージアセンブリ２１のみが固定された位置で、マッサージの動作を行なう。
【００１７】
従って、本発明は単方向ベアリング７０の精密且つ簡単な構造により、マッサージアセンブリ２１の作動モードを変化させることができ、従来の複雑な構造を解決し、方向転換の機能性を向上させることができる。
【００１８】
尚、上記本発明の構成、特徴及び各部分の位置関係に対して、以下に本発明の効果及び長所を詳述する。
【００１９】
１．単方向ベアリング７０上に設置された従動座６０によりマッサージアセンブリ２１の方向転換を行なうことができるマッサージ器の方向転換コントローラーの構造を提供することができる。
【００２０】
２．単方向ベアリング７０の精密且つ簡単な伝動設計により、従来の複雑な作動モード変化の構造を解決することができ、組み立てが簡単で、製造コストを削減することができると共に、生産効率を向上させ、産業上容易に利用することができる。
【００２１】
尚、本発明のマッサージ器の方向転換コントローラーは上記の構成に限定されることなく、本発明のマッサージ器の方向転換コントローラーを変形及び改良した構成においても適応可能である。
【図面の簡単な説明】
【００２２】
【図１】本発明の一実施例に係るマッサージ器の方向転換コントローラーの分解斜視図である。
【図２】本発明のマッサージ器の方向転換コントローラーを示す斜視図である。
【図３】本発明のマッサージ器の方向転換コントローラーを示す断面図である。
【図４】本発明のマッサージ器の方向転換コントローラーの動作状態を示す平面図である。
【図５】本発明のマッサージ器の方向転換コントローラーの動作状態を示す平面図である。
【符号の説明】
【００２３】
１０            座体
２０            マッサージ装置
２１            マッサージアセンブリ
３０            凸軸
３１            軸心
３２            耐摩耗環
４０            第一ギヤ
４１            主ギヤ
４２            被動ギヤ
４３            チェーン
４４            ギヤ
５０            モーター
５１            ウォームギヤ
６０            従動座
６３、６４      ベベルギヤ
６５            双方向ネジロッド
７０            単方向ベアリング
４０１          中心孔
６０１          設置孔
【図１】
2005111171.tif 000003
【図２】
2005111171.tif 000004
【図３】
2005111171.tif 000005
【図４】
2005111171.tif 000006
【図５】
2005111171.tif 000007